(57)【要約】【課題】  コネクタの大型化を招かず、基板から容易に取り外すことができる補強用タブを備えるコネクタを提供すること。【解決手段】  ハウジング１２の両端側の一対の脇壁２３に係止溝２３１を設け、この係止溝２３１に平面視略コの字状の補強用タブ１４を嵌め込む。補強用タブ１４は、ハウジング１２の正面壁２４の外側に突出する突出部４２と、脇壁２３の壁面に接する被保持部４１と、を備える。補強用タブ１４の被保持部４１を覆う脇壁２３は、一部が切り欠かれ、被保持部４１が露出された第１露出面４１１および第２露出面４１２になる。基板１に接合されたコネクタ１０を取り外す際は、第１露出面４１１または第２露出面４１２にはんだごてを当てることにより、はんだを溶解させて補強用タブ１４を基板１から容易に取り外すことができる。【選択図】        図１
2006032161.tif 000002
【特許請求の範囲】
【請求項１】
開口を有する略矩形箱状のハウジングと、このハウジングの内部に保持される端子と、前記ハウジングの前記開口を挟んで両端側に取り付けられる一対の補強用タブと、を含み、前記開口から挿入される相手方コネクタと電気的に接続されるコネクタであって、
前記ハウジングは、前記開口に対向する底壁と、この底壁に略直交し前記補強用タブが取り付けられる互いに略平行な一対の脇壁と、前記脇壁の両端側同士を接続する互いに略平行な正面壁および背面壁と、を備え、
前記端子は、前記ハウジングに保持される基部と、この基部から前記ハウジングの開口側に延びて前記相手方コネクタの相手方端子と接触する接触部と、前記基部から前記ハウジング外部へ延びるリード部と、を備え、
前記補強用タブは、前記ハウジングの脇壁に保持される被保持部と、この被保持部から延びて前記ハウジングの正面壁より外側に突出する突出部と、を備え、
前記ハウジングの脇壁は、前記補強用タブが嵌入される係止溝を備え、この係止溝に嵌入される前記補強用タブの被保持部の少なくとも一部を露出させるように切り欠かれていることを特徴とするコネクタ。
【請求項２】
前記補強用タブの突出部の先端に、前記ハウジングの正面壁に略平行な第１固定面が形成され、
前記補強用タブの被保持部の一端縁に、前記ハウジングの底壁に略平行な第２固定面が形成されていることを特徴とする請求項１に記載のコネクタ。
【請求項３】
前記ハウジングの脇壁は、前記正面壁側の端縁および前記底壁側の端縁が切り欠かれていることを特徴とする請求項１または２に記載のコネクタ。
【請求項４】
前記ハウジングの正面壁は、前記相手方コネクタの挿入方向に向かって延びてこの相手方コネクタを前記ハウジングの内部に案内する一対のガイド部を、前記開口側に位置する一端縁側に備えることを特徴とする請求項１から３のいずれかに記載のコネクタ。
【請求項５】
前記ハウジングの正面壁の一対のガイド部は、前記正面壁から外側に突出する突起をそれぞれ備えることを特徴とする請求項４に記載のコネクタ。
【請求項６】
前記端子のリード部は、前記正面壁から延出してこの正面壁に略平行な方向へ延び、
前記正面壁を、電気回路を備える基板に略平行にして固定される請求項１から５のいずれかに記載のコネクタ。
【請求項７】
前記端子のリード部は、前記正面壁から延出してこの正面壁に略垂直な方向へ延び、
前記底壁を、電気回路を備える基板に略平行にして固定される請求項１から５のいずれかに記載のコネクタ。
【発明の詳細な説明】
【技術分野】
【０００１】
本発明は、電気回路が形成されたプリント配線板等の基板表面に実装されるコネクタに関し、特に、基板とコネクタとの接合強度を高めるための補強用タブを備えるコネクタに関する。
【背景技術】
【０００２】
従来、基板表面に実装される表面実装型コネクタとして、一端面が開口した略矩形箱状の絶縁性のハウジング内部に、金属製の端子を保持するコネクタが知られている。表面実装型コネクタには、ハウジングの開口に平行な面（以下、「底面」という）を基板上に戴置して開口が基板に平行に広がるように固定される「トップタイプ」、ハウジングの底面を基板に垂直に載置して開口が基板に垂直に広がるように固定される「サイドタイプ」、およびトップタイプまたはサイドタイプのいずれとしても使用できる「共用タイプ」がある。
【０００３】
例えば特許文献１には、略矩形箱状のハウジングに、このハウジング外部へ延伸するリード部を有する端子が収容されたコネクタであって、前記端子のリード部にトップ用はんだ付け面とサイド用はんだ付け面とを設けた共用タイプのコネクタが開示されている。
【０００４】
端子のトップ用はんだ付け面はハウジングの底面に平行な面であり、このトップ用はんだ付け面が基板に実装されることによりコネクタをトップタイプとして使用できる。一方、サイド用はんだ付け面はトップ用はんだ付け面と直交する面であり、サイド用はんだ付け面が基板に実装される場合、コネクタはサイドタイプとして使用される。
【０００５】
また、このコネクタは、ハウジングの両端側に取り付けられた一対の補強用タブをさらに備え、この補強用タブにもトップ用はんだ付け面とサイド用はんだ付け面とが設けられている。補強用タブは金属製の板状部材で構成され、トップ用はんだ付け面とサイド用はんだ付け面とは、この板状部材の互いに直交する端縁に形成されている。この補強用タブは、ハウジングの両端側の壁に沿って形成された溝に嵌め込まれることによりハウジングに取り付けられ、はんだ付け面が形成された補強用タブの互いに直交する２つの端縁はこの溝から露出され、基板にはんだ付けされる。
【０００６】
この補強用タブは、ハウジングの両端側の壁に設けられた溝に収まる大きさであり、互いに直交する端縁が基板にはんだ付けされるはんだ付け面とされていることから、コネクタを大型化させずに、サイドタイプおよびトップタイプのどちらの場合でも基板とコネクタとの接合強度を向上させることができる。
【特許文献１】特許第３３３０５５９号公報
【発明の開示】
【発明が解決しようとする課題】
【０００７】
しかし、上記のコネクタの補強用タブは、はんだ付け面が形成された端縁が僅かに露出しているに過ぎないため、基板に実装されたこのコネクタを基板から取り外す場合、補強用タブを基板から取り外すことが困難である。また、サイドタイプのコネクタの場合、相手方コネクタは基板側方から挿抜されるため、相手方コネクタをハウジングの内部に案内することが難しく、コネクタのがたつきを生じるという問題がある。
【０００８】
本発明は、上記課題に鑑み、共用タイプのコネクタのハウジングに取り付けられた補強用タブを大型化させることなく、基板から容易に取り外すことができるようにしたコネクタを提供することを目的とする。また、本発明は、基板の側方に向かって開口するサイドタイプのコネクタのがたつきを防止し、基板とコネクタとの接合強度を向上させることができるコネクタを提供することを目的とする。
【課題を解決するための手段】
【０００９】
本発明は、上記の課題を解決するため、以下の発明を提供する。
【００１０】
（１）  開口を有する略矩形箱状のハウジングと、このハウジングの内部に保持される端子と、前記ハウジングの前記開口を挟んで両端側に取り付けられる一対の補強用タブと、を含み、前記開口から挿入される相手方コネクタと電気的に接続されるコネクタであって、前記ハウジングは、前記開口に対向する底壁と、この底壁に略直交し前記補強用タブが取り付けられる互いに略平行な一対の脇壁と、前記脇壁の両端側同士を接続する互いに略平行な正面壁および背面壁と、を備え、前記端子は、前記ハウジングに保持される基部と、この基部から前記ハウジングの開口側に延びて前記相手方コネクタの相手方端子と接触する接触部と、前記基部から前記ハウジング外部へ延びるリード部と、を備え、前記補強用タブは、前記ハウジングの脇壁に保持される被保持部と、この被保持部から延びて前記ハウジングの正面壁より外側に突出する突出部と、を備え、前記ハウジングの脇壁は、前記補強用タブが嵌入される係止溝を備え、この係止溝に嵌入される前記補強用タブの被保持部の少なくとも一部を露出させるように切り欠かれていることを特徴とするコネクタ。
【００１１】
（１）記載の発明では、ハウジングの脇壁の壁面に取り付けられる補強用タブの被保持部を覆う脇壁の一部を切り欠くことにより、補強用タブの被保持部の一部を露出させる。このように補強用タブの一部を露出させることにより、基板に実装されたコネクタを取り外す際、補強用タブが露出された部分にはんだごてを接触させてはんだを溶解し、補強用タブを基板から容易に取り外すことができる。また、補強用タブの突出部はハウジングの正面壁の壁面より外側に飛び出ているため、突出部を基板に着脱することが容易である。
【００１２】
（２）  前記補強用タブの突出部の先端に、前記ハウジングの正面壁に略平行な第１固定面が形成され、前記補強用タブの被保持部の一端縁に、前記ハウジングの底壁に略平行な第２固定面が形成されていることを特徴とする（１）に記載のコネクタ。
【００１３】
第１固定面は、コネクタをサイドタイプとして使用する場合にコネクタと基板との接合強度を向上させるために用いられ、第２固定面はコネクタをトップタイプとして使用する場合に使用される。具体的には、リード部がハウジングの正面壁に平行に延びる端子を保持するコネクタを基板に実装する場合に、第１固定面はリード部とともに基板に固定され、コネクタと基板との接合強度を向上させる。一方、リード部が底壁に平行に延びる端子を保持するコネクタを基板に実装する場合は、第２固定面を基板に固定してコネクタと基板との接合強度を向上させることができる。
【００１４】
このように、２つの固定面を補強用タブに設けることにより、本発明に係るコネクタがトップタイプまたはサイドタイプのどちらのタイプとして使用される場合でも、補強用タブによってコネクタと基板との接合強度が高められる。
【００１５】
（３）  前記ハウジングの脇壁は、前記正面壁側の端縁および前記底壁側の端縁が切り欠かれていることを特徴とする（１）または（２）に記載のコネクタ。
【００１６】
（３）記載の発明によれば、ハウジングの脇壁が、正面壁側端縁と底面壁側端縁との２箇所で切り欠かれ、補強用タブの被保持部は正面壁に面して広がる第１露出面と、底面壁に面して広がる第２露出面と、の２箇所の露出面を備える。第１露出面および第２露出面は、正面壁または底壁を基板上に載置して基板に実装されたコネクタを取り外す際にはんだごてを当てる部分として機能するため、コネクタの基板からの取り外しが容易となる。
【００１７】
（４）  前記ハウジングの正面壁は、前記相手方コネクタの挿入方向に向かって延びてこの相手方コネクタを前記ハウジングの内部に案内する一対のガイド部を、前記開口側に位置する一端縁側に備えることを特徴とする（１）から（３）のいずれかに記載のコネクタ。
【００１８】
（４）記載の発明では、ハウジングの正面壁の開口側端縁の両端側に一対のガイド部が設けられている。このため、開口からハウジングの内部に挿入される相手方コネクタは、このガイド部に案内され、ハウジング内部に容易に挿入される。
【００１９】
（５）  前記ハウジングの正面壁の一対のガイド部は、前記正面壁から外側に突出する突起をそれぞれ備えることを特徴とする（４）に記載のコネクタ。
【００２０】
（５）記載の発明では、正面壁のガイド部に設けられた突起が基板と接触する。このため、正面壁を基板上に載置してコネクタを基板に実装した場合、この突起が正面壁を支え、コネクタのがたつきを防止できる。
【００２１】
（５）記載の発明では、リード部は正面壁に平行に延びるものとすることが好ましく、リード部の厚さは正面壁の突起が突出する高さとほぼ同じとすることが好ましい。また、補強用タブの突出部が突出する高さも、突起が突出する高さとほぼ同じとすることが好ましい。正面壁の突起、補強用タブの突出部、およびリード部の厚さをほぼ同じ高さとすることにより、正面壁は突起、突出部、およびリード部と基板とがそれぞれ接する３点で支持される。
【００２２】
（６）  前記端子のリード部は、前記正面壁から延出してこの正面壁に略平行な方向へ延び、前記正面壁を、電気回路を備える基板に略平行にして固定される（１）から（５）のいずれかに記載のコネクタ。
【００２３】
（６）記載の発明では、リード部が正面壁に略平行に延びており、本発明に係るコネクタをサイドタイプとして使用できる。
【００２４】
（７）  前記端子のリード部は、前記正面壁から延出してこの正面壁に略垂直な方向へ延び、前記底壁を、電気回路を備える基板に略平行にして固定される（１）から（５）のいずれかに記載のコネクタ。
【００２５】
（７）記載の発明では本発明に係るコネクタをトップタイプとして使用できる。
【００２６】
また、特許文献１に記載されたコネクタの端子のように、リード部の互いに直交する２つの端縁に、第１はんだ付け面および第２はんだ付け面を設けると、コネクタを共用タイプとして使用できる。
【発明の効果】
【００２７】
本発明によれば、補強用タブを大型化させることを防止して、コネクタを基板表面に容易に着脱可能にできる。また、本発明によれば、相手方コネクタの挿入を容易にし、基板表面に実装されたコネクタのがたつきを防止することができる。
【発明を実施するための最良の形態】
【００２８】
次に、本発明の実施形態について図面を用いて説明する。以下、同一部材については同一符号を付し、説明を省略または簡略化する。
【００２９】
図１は、本発明の第１実施形態に係るコネクタ１０の斜視図である。図２は、コネクタ１０の正面図、図３は右側面図、図４は左側面図、図５は平面図、図６は背面図、図７は底面図である。コネクタ１０は、ハウジング１２と、複数の端子１３と、補強用タブ１４と、を備える。ハウジング１２は、合成樹脂等の絶縁性材料で構成され、端子１３および補強用タブ１４はステンレスや銅等の金属で構成される。
【００３０】
ハウジング１２は、一端面に開口２１が形成された略矩形箱状で、開口２１に対向する底壁２２と、この底壁２２の互いに平行な一対の辺縁から開口２１側に延びる一対の脇壁２３と、これらの脇壁２３の一端縁同士を接続する正面壁２４と、脇壁２３の他端縁同士を接続し正面壁２４に平行な背面壁２５と、を備える。
【００３１】
端子１３は、底壁２２、一対の脇壁２３、正面壁２４および背面壁２５で囲まれたハウジング１２の内部に収容されている。図８は、コネクタ１０を脇壁２３に平行な切断線に沿って切断した断面図で、正面壁２４を右側として、図６の矢印Ｘで示す方向から見た場合を示す。図８に示すように、端子１３はハウジング１２に保持される基部３０と、基部３０から開口２１側に延びる接触部３１と、基部３０からハウジング１２の外部へ延出して基板１にはんだ付けなどにより実装されるリード部３２と、を備える。
【００３２】
図９は、補強用タブ１４の斜視図であり、この図に示す通り、補強用タブ１４は平面視略コの字状の板状部材で構成されている。補強用タブ１４は、略コの字状の被保持部４１と、被保持部４１から延びて先端に向かって厚さが薄くなった突出部４２と、を備える。被保持部４１の幅Ｗ４は、ハウジング１２の脇壁２３の幅Ｗ３と同等または幅Ｗ３より僅かに短く、図３に示すように被保持部４１はハウジング１２の脇壁２３に面して保持され、突出部４２は正面壁２４方向へ延びて正面壁２４の壁面より外側に突出する。
【００３３】
突出部４２の先端には、正面壁２４に平行な第１固定面４２１が形成されている。第１固定面４２１は、ハウジング１２の正面壁２４を基板に平行に載置してコネクタ１０をサイドタイプのコネクタとして使用する場合に基板に固定される。一方、被保持部４１の一端縁の先端には、第１固定面４２１と直交する方向に延びる第２固定面４２２が形成されている。第２固定面４２２はハウジング１２の底壁２２に平行で、コネクタ１０がトップタイプのコネクタとして使用される場合に基板に固定される。
【００３４】
以下、ハウジング１２の構成について詳細に説明する。ハウジング１２の正面壁２４は、図２に示すように略矩形平板状で、底壁２２と接する側の端縁（以下、「底側端縁」）側に４つの貫通孔２４３が形成されている。底側端縁に対向する開口２１側の端縁（以下、「開口側端縁」）側には、両端に一対のガイド部２４２が設けられている。
【００３５】
ガイド部２４２は、正面壁２４に平行な支持片２４２ａと、この支持片２４２ａと垂直に交わり脇壁２３から延びるスライド片２４２ｂと、を含み、支持片２４２ａには正面壁２４の壁面から突出する突起２４１が形成されている。ガイド部２４２は、ハウジング１２から突出していることから、開口２１からハウジング１２に挿入する相手方コネクタ２の挿入位置をこのガイド部２４２で規定し、相手方コネクタ２をハウジング１２の内部へ容易に案内できる。
【００３６】
また、スライド片２４２ｂの正面壁２４に平行な一対の端縁のうち背面壁２５に近い側（以下、「背面側端縁」）は切り欠かれ、背面壁２５および底壁２２方向へ立ち上がる傾斜面２４２ｃとなっている。このため、相手方コネクタ２をこのスライド片２４２ｂの傾斜面２４２ｃに沿って動かすことによってより容易にハウジング１２の内部に挿入できる。
【００３７】
ハウジング１２の脇壁２３には、壁面に沿って係止溝２３１が形成されている。係止溝２３１より外側に位置する脇壁２３の一部（以下、「被覆片」）２３２は、係止溝２３１に嵌め込まれた補強用タブ１４の被保持部４１を覆う。図３に示すように、被覆片２３２は正面壁２４側の端縁部が長方形状に切り欠かれ、補強用タブ１４の被保持部４１の一部が露出されている。以下、補強用タブ１４のこの露出された部分を第１露出面４１１という。また、底壁２２と背面壁２５とに面する被覆片２３２の角部は略三角形状に切り欠かれ、補強用タブ１４の被保持部４１の一部が露出された第２露出面４１２となっている。
【００３８】
このように本発明では、補強用タブ１４が取り付けられる脇壁２３の一部が切り欠かれ、補強用タブ１４の被保持部４１が露出されることにより、第１露出面４１１および第２露出面４１２にはんだごてを接触させて補強用タブ１４と基板１とを接合しているはんだを溶解させ、コネクタ１０を基板１から容易に取り外すことを可能とする。
【００３９】
被覆片２３２は、補強用タブ１４の第１固定面４２１から１〜２ｍｍ程度の幅で被保持部４１が露出され、かつ第２固定面４２２からも少なくとも１〜２ｍｍ程度の幅で被保持部４１が露出されるように切り欠かれることが好ましい。被保持部４１が少なくとも上記範囲で露出される限り、切り欠きの形状は限定されず、本実施態様に示すように、略矩形状や略三角形状その他の任意の形状としてよい。
【００４０】
本発明によれば、脇壁２３の一部を切り欠いて補強用タブ１４の被保持部４１を露出させることにより、補強用タブ１４を大型化させることなく、補強用タブ１４にはんだごてを当てやすくして補強用タブ１４を基板１から取り外しやすくできる。
【００４１】
また、補強用タブ１４の突出部４２は、正面壁２４からわずかに突出することにより、基板１に平行に載置される正面壁２４を支えるとともに、基板１とコネクタ１０との接合強度を高める。突出部４２は、高さ０．１〜０．５ｍｍ程度の高さで正面壁２４から突出していることが好ましく、突出部４２と突起２４１とは図３に示すように、ほぼ同じ高さであることが好ましい。
【００４２】
図１０は、コネクタ１０の使用状態を示す図で、コネクタ１０の開口２１から相手方コネクタ２が挿入された状態の左側面図である。この図に示すように、コネクタ１０は、底壁２２を基板１上に載置して基板１に実装されるトップタイプとして使用される。トップタイプのコネクタ１０の端子１３のリード部３２は、貫通孔２４３からハウジング１２外へ延出して底壁２２に平行に延びている。コネクタ１０を基板１に実装する場合、端子１３のリード部３２および補強用タブ１４の第２固定面４２２がはんだ等により、基板に固定される。
【００４３】
一方、図１１は本発明の第２実施形態に係るサイドタイプのコネクタ１００を示し、（ａ）は正面図、（ｂ）は平面図、（ｃ）は左側面図、（ｄ）は右側面図、（ｅ）は底面図、（ｆ）は背面図、および（ｇ）は断面図で（ｆ）に示す切断線に沿ってコネクタ１００を切断した断面を矢印Ｙで示す方向から見た場合を示す。また、図１２はコネクタ１００の斜視図、図１３はコネクタ１００の使用状態を示す図で、コネクタ１００を基板１に接合し、開口２１から相手方コネクタ２を挿入した状態を示す。
【００４４】
コネクタ１００の端子１３０は、リード部３２０が正面壁２４に平行に延びている他は、コネクタ１０と同一の構成となっている。コネクタ１００は、正面壁２４を基板１上に載置して正面壁２４に平行に延びるリード部３２０および補強用タブ１４の第１固定面４２１が基板１に固定される。
【００４５】
コネクタ１００の端子１３０のリード部３２０は、図１１（ｃ）に示すように、ハウジング１２の正面壁２４に設けられた突起２４１および補強用タブ１４の突出部４２が突出する高さと同じ高さの厚みとなっている。すなわち、リード部３２０の側面、補強用タブ１４の突出部４２、および正面壁２４の突起２４１は同一平面上に位置し、コネクタ１００を基板に載置した際に、それぞれ基板と接触する。このため、コネクタ１００は開口２１から底壁２２側にかけて並ぶ３つの突出した点で支えられるため、相手方コネクタを挿抜する際等のがたつきが防止できる。
【産業上の利用可能性】
【００４６】
本発明は、プリント配線板等の基板に形成された電気回路の電気的接続に利用できる。
【図面の簡単な説明】
【００４７】
【図１】本発明の第１実施形態に係るコネクタの斜視図である。
【図２】前記コネクタの正面図である。
【図３】前記コネクタの右側面図である。
【図４】前記コネクタの左側面図である。
【図５】前記コネクタの平面図である。
【図６】前記コネクタの背面図である。
【図７】前記コネクタの底面図である。
【図８】前記コネクタの断面図である。
【図９】前記コネクタの補強用タブの斜視図である。
【図１０】前記コネクタの使用状態を示す左側面図である。
【図１１】本発明の第２実施形態に係るコネクタを示し、（ａ）は正面図、（ｂ）は平面図、（ｃ）は左側面図、（ｄ）は右側面、（ｅ）は底面図、（ｆ）は背面図、（ｇ）は断面図である。
【図１２】前記コネクタの斜視図である。
【図１３】前記コネクタの使用状態を示す左側面図である。
【符号の説明】
【００４８】
１０、１００  コネクタ
１２          ハウジング
１３、１３０  端子
１４          補強用タブ
２１          開口
２２          底壁
２３          脇壁
２４          正面壁
２５          背面壁
３０          基部
３１          接触部
３２、３２０  リード部
４１          被保持部
４２          突出部
２３１        係止溝
２４１        突起
２４２        ガイド部
【図１】
2006032161.tif 000003
【図２】
2006032161.tif 000004
【図３】
2006032161.tif 000005
【図４】
2006032161.tif 000006
【図５】
2006032161.tif 000007
【図６】
2006032161.tif 000008
【図７】
2006032161.tif 000009
【図８】
2006032161.tif 000010
【図９】
2006032161.tif 000011
【図１０】
2006032161.tif 000012
【図１１】
2006032161.tif 000013
【図１２】
2006032161.tif 000014
【図１３】
2006032161.tif 000015